(57)【特許請求の範囲】
【請求項１】
磁性体である屋根材上に固着された固定部材と、前記固定部材に蝶番を介して回動可能に保持されたソーラーパネルと、前記ソーラーパネルを前記屋根材に係脱可能に固定するため前記ソーラーパネルと前記屋根材との間に設けられた磁石式係止手段とを備えたことを特徴とするソーラーパネル取付構造。
【請求項２】
前記蝶番として、抜き差し蝶番を用いた請求項１記載のソーラーパネル取付構造。
【請求項３】
前記屋根材に対する前記固定部材の固着手段として、接着剤若しくは両面粘着テープの少なくとも一方を用いた請求項１または２記載のソーラーパネル取付構造。
【発明の詳細な説明】
【技術分野】
【０００１】
本発明は、磁性体である金属板で葺かれた屋根にソーラーパネルを設置する際に用いられるソーラーパネル取付構造に関する。
【背景技術】
【０００２】
金属板で葺かれた屋根にソーラーパネルを設置する際の取付構造については、従来、様々な方式が提案されているが、本願発明に関連するものとして、例えば、特許文献１記載の「屋根置き設備の設置装置」あるいは特許文献２記載の「ソーラーパネル取付装置」がある。これらの文献に記載されている装置は、所定の部材を組み合わせて屋根上に固定することによって形成された支持体上にソーラーパネルを固定するというものである。
【先行技術文献】
【特許文献】
【０００３】
【特許文献１】特開２００６−５７３９７号公報
【特許文献２】特開２００９−９１８１１号公報
【発明の概要】
【発明が解決しようとする課題】
【０００４】
特許文献１，２に記載された装置においては、設置後のソーラーパネルと屋根との間に若干の隙間が生じるため、施工後の時間経過に伴い、風雨などによって運ばれてきた木の葉や塵埃などが隙間に入り込んで溜まっていくことが多い。前記隙間に溜まった木の葉や塵埃などは、屋根材を汚損するので建物の外観を悪化させるだけでなく、水分を含んだ状態を維持することによって屋根材を腐食させ、雨漏りの原因となることがある。
【０００５】
このような問題を防止するためには、ソーラーパネルと屋根との隙間を定期的に清掃して、木の葉や塵埃などを除去することが必要であるが、前記隙間は狭く、清掃用具などを差し込むことが難しいので、施工後における前記隙間の清掃やメンテナンスなどは殆ど行われていないのが実状である。
【０００６】
一方、屋根上に設置されたソーラーパネルを持ち上げたり、取り外したりすれば、前記隙間が広がって、屋根材が露出するので、清掃やメンテナンスなどは容易となるのであるが、特許文献１，２記載の装置などにおいては、ソーラーパネルがネジなどで屋根に強固に固定されているため、取り外しが困難である。
【０００７】
本発明が解決しようとする課題は、施工後の清掃作業性及びメンテナンス性に優れたソーラーパネル取付構造を提供することにある。
【課題を解決するための手段】
【０００８】
本発明のソーラーパネル取付構造は、磁性体である屋根材上に固着された固定部材と、前記固定部材に蝶番を介して回動可能に保持されたソーラーパネルと、前記ソーラーパネルを前記屋根材に係脱可能に固定するため前記ソーラーパネルと前記ソーラーパネルとの間に設けられた磁石式係止手段とを備えたことを特徴とする。
【０００９】
このような構成とすれば、屋根材上に固着された固定部材に蝶番を介して保持されたソーラーパネルは、施工後においても、磁石式係止手段を解除することにより、蝶番を中心に回動可能となるので、ソーラーパネルを起立方向へ回動させてソーラーパネルと屋根材との隙間を広げ、屋根材を露出させた状態にすれば、屋根材の清掃やメンテナンスなどを容易に行うことができる。また、前記隙間に溜まる木の葉や塵埃などの除去作業が容易となるので、定期的な清掃やメンテナンスを行うことにより、屋根材の汚損や雨漏り発生を防止することができる。
【００１０】
ここで、前記蝶番として、抜き差し蝶番を用いれば、ソーラーパネル自体を固定部材から離脱させることが可能となるため、屋根材上の清掃作業性がさらに向上するだけでなく、ソーラーパネルのメンテナンスや他のソーラーパネルとの交換作業も容易となる。
【００１１】
一方、前記屋根材に対する前記固定部材の固着手段として、接着剤若しくは両面粘着テープの少なくとも一方を用いれば、ネジや釘などを使用することなく固定部材を屋根材に固着することが可能となるため、取付作業が容易となり、雨漏り防止にも有効である。
【発明の効果】
【００１２】
本発明により、施工後の清掃作業性及びメンテナンス性に優れたソーラーパネル取付構造を提供することができる。
【図面の簡単な説明】
【００１３】
【図１】本発明の実施形態であるソーラーパネル取付構造を示す一部省略側面図である。
【図２】図１に示すソーラーパネル取付構造を構成する抜き差し蝶番の着脱機能を示す斜視図である。
【発明を実施するための形態】
【００１４】
図１に示すように、本実施形態のソーラーパネル取付構造１０は、磁性体である金属板で構成された屋根材１１上に固着された断面Ｌ字状のアングル材である固定部材１２と、固定部材１２の起立部１２ａの上縁に取り付けられた抜き差し蝶番１３を介して回動可能に保持されたソーラーパネル１４と、ソーラーパネル１４を屋根材１１に係脱可能に固定するためソーラーパネル１４と屋根材１１との間に設けられた磁石式係止手段１５とを備えている。
【００１５】
屋根材１１に対する固定部材１２の固着手段として、固定部材１２の起立部１２ａと直角をなす固定部１２ｂの下面と、屋根材１１の表面との間に両面粘着テープ１６及び接着剤１７を介在させている。両面粘着テープ１６は、屋根材１１に対する固定部材１２の初期固定手段としての機能を発揮し、接着剤１７は固定部材１２を屋根材１１に強力に固着する機能を果たしている。
【００１６】
磁石式係止手段１５は、ソーラーパネル１４の下面との間に弾性体２３を介在させ、開口部を下に向けた状態でネジ１８によって取り付けられたカップ型のケーシング１９と、ケーシング１９内に固着された円環状のフェライトマグネット２０とを備えている。ソーラーパネル１４の下面に固定された磁石式係止手段１５のケーシング１９開口部に露出しているフェライトマグネット２０を屋根材１１に近づければ、磁力によってフェライトマグネット２０が屋根材１１に吸着され、ソーラーパネル１４は屋根材１１との間に隙間２１を置いて、略平行を保った状態で固定される。
【００１７】
前述したように、屋根材１１上に固着された固定部材１２に抜き差し蝶番１３を介して回動可能に保持されたソーラーパネル１４は磁石式係止手段１５によって固定されているので、風雨などによってソーラーパネル１４が浮き上がったり、飛ばされたりすることはなく、安定した状態に保たれる。
【００１８】
一方、ソーラーパネル１４の抜き差し蝶番１３と対向する部分を持ち上げたり、屋根材１１とフェライトマグネット２０との隙間をこじ開けたりすることによって、磁石式係止手段１５を解除すると、図１に示すように、ソーラーパネル１４は抜き差し蝶番１３を中心に回動可能となる。従って、ソーラーパネル１４を起立方向２２へ回動させてソーラーパネル１４と屋根材１１との隙間２１を広げ、屋根材１１を露出させた状態にすれば、屋根材１１の清掃やメンテナンスなどを容易に行うことができる。
【００１９】
また、ソーラーパネル１４を起立方向２２へ回動させることにより、隙間２１に溜まっている木の葉や塵埃などの除去作業が容易となるので、定期的な清掃やメンテナンスを行うことにより、屋根材１１の汚損や雨漏り発生を防止することができる。
【００２０】
また、本実施形態において使用している抜き差し蝶番１３は、図２に示すように、一方の羽根１３ａに固定された支軸１３ｃに対して他方の羽根１３ｂが着脱可能である。抜き差し蝶番１３が図２（ａ）に示す状態を保っているとき、ソーラーパネル１４は抜き差し蝶番１３を中心に回動可能に保持されているが、ソーラーパネル１４を抜き差し蝶番１３の支軸１３ｃと平行方向にスライドさせると、図２（ｂ）に示すように、羽根１３ａの支軸１３ｃから羽根１３ｂが離脱するので、ソーラーパネル１４自体を固定部材１２から離脱させることができ、これと逆の操作を行えば、ソーラーパネル１４を固定部材１２に取り付けることができる。
【００２１】
図２（ｂ）に示すように、抜き差し蝶番１３を分離させることにより、固定部材１２からソーラーパネル１４を離脱させれば、ソーラーパネル１４によって覆われていた部分の屋根材１４の清掃作業性が向上するだけでなく、ソーラーパネル１４自体のメンテナンスや他のソーラーパネルとの交換作業も容易となる。
【００２２】
さらに、屋根材１１に対する固定部材１２の固着手段として、両面粘着テープ１６及び接着剤１７を用いたことにより、ネジや釘などを使用したり、屋根材１１に孔を開設したりすることなく固定部材１２を屋根材１１に固着することができるため、取付作業は極めて容易であり、施工後の雨漏り防止にも有効である。
【００２３】
本実施形態においては、屋根材１１が、磁性体である金属板で形成されているため、磁石式係止手段１５のフェライトマグネット２０を直接屋根材１１に吸着させることができるが、屋根材が磁性体でない場合、前記屋根材上において磁石式係止手段１５と対向する領域に、磁性体である金属板などを固着すれば、磁石式係止手段１５による固定を行うことが可能となる。
【産業上の利用可能性】
【００２４】
本発明のソーラーパネル取付構造は、磁性体である金属板で葺かれた屋根を備えた建築物に対するソーラーパネルの設置技術として広く利用することができる。
【符号の説明】
【００２５】
１０  ソーラーパネル取付構造
１１  屋根材
１２  固定部材
１２ａ  起立部
１２ｂ  固定部
１３  抜き差し蝶番
１３ａ，１３ｂ  羽根
１３ｃ  支軸
１４  ソーラーパネル
１５  磁石式係止手段
１６  両面粘着テープ
１７  接着剤
１８  ネジ
１９  ケーシング
２０  フェライトマグネット
２１  隙間
２２  起立方向
２３  弾性体
【図１】
0005642582.tif 000002
【図２】
0005642582.tif 000003